【事件の表示】
　特許第３００７９１６号「金属表面洗浄用水性液状アルカリ洗浄剤組成物」の請求項１に係る特許に対する特許異議の申立てについて、次のとおり決定する。
【結　論】
　訂正を認める。
　特許第３００７９１６号の請求項１に係る特許を取り消す。
【理　由】
１．手続の経緯
　本件特許第３００７９１６号の請求項１に係る発明についての出願は、平成３年６月３日に特許出願され、平成１１年１２月３日にその発明について特許権の設定登録がされ、その後、花王株式会社より特許異議の申立てがされ、取消理由が通知され、その指定期間内である平成１２年１２月２８日付けで訂正請求がされた後、特許権者及び異議申立人双方に審尋がされ、双方から回答書が提出されたものである。
２．訂正請求について
　（１）訂正の内容
　ア．訂正事項ａ
　特許請求の範囲の請求項１の記載について、
「ｍ：エチレンオキシドの平均付加モル数を表わし、１〜２００の数
ｎ：プロピレンオキシドの平均付加モル数を表わし、１〜２００の数）
（ｄ）水性媒体」とあるのを
「ｍ：エチレンオキシドの平均付加モル数を表わし、１０〜５０の数
ｎ：プロピレンオキシドの平均付加モル数を表わし、１〜２００の数）
（ｄ）キレート剤：５〜１５重量％
（ｅ）水性媒体」と訂正する。
　イ．訂正事項ｂ
　段落【０００９】の記載について、「以下の（ａ），（ｂ），（ｃ）および（ｄ）」とあるのを「以下の（ａ），（ｂ），（ｃ），（ｄ）および（ｅ）」と訂正する。
　ウ．訂正事項ｃ
　段落【０００９】の記載について、「ｍ：エチレンオキシドの平均付加モル数を表わし、１〜２００の数
ｎ：プロピレンオキシドの平均付加モル数を表わし、１〜２００の数）
（ｄ）水性媒体」とあるのを
「ｍ：エチレンオキシドの平均付加モル数を表わし、１０〜５０の数
ｎ：プロピレンオキシドの平均付加モル数を表わし、１〜２００の数）
（ｄ）キレート剤：５〜１５重量％
（ｅ）水性媒体」
　エ．訂正事項ｄ
　段落【００１９】の記載について、「ｍ：エチレンオキシドの平均付加モル数を表わし、１〜２００の数」とあるのを「ｍ：エチレンオキシドの平均付加モル数を表わし、１０〜５０の数」と訂正する。
　オ．訂正事項ｅ
　段落【００２２】の記載について、「エチレンオキシドの平均付加モル数ｍは、１〜２００、好ましくは１〜１００である。」とあるのを「エチレンオキシドの平均付加モル数ｍは、１０〜５０である。」と訂正する。
　カ．訂正事項ｆ
　段落【００２５】の記載について、「（ｄ）成分の水性媒体は、」とあるのを「（ｅ）成分の水性媒体は、」と訂正する。
　キ．訂正事項ｇ
　段落【００２６】の記載について、「従来からアルカリ洗浄剤に用いられていることができ、例えば、キレート剤、化３のノニオン界面活性剤」とあるのを「従来からアルカリ洗浄剤に用いられている他の成分を配合することができ、例えば、化３のノニオン界面活性剤」と訂正する。
　ク．訂正事項ｈ
　段落【００２７】の記載について、「ここで、キレート剤としては、」とあるのを「（ｄ）成分のキレート剤としては、」と訂正する。
　ケ．訂正事項ｉ
　段落【００２７】の記載について、「５〜１５重量％である。」とあるのを「５〜１５重量％配合される。」と訂正する。
　コ．訂正事項ｊ
　段落【００２８】の記載について、「さらに特定のノニオン界面活性剤を４〜１５重量％配合して」とあるのを「特定のノニオン界面活性剤を４〜１５重量％、さらにキレート剤５〜１５重量％配合して」と訂正する。
　（２）訂正の適否について
　ア．訂正事項ａは、エチレンオキシドの平均付加モル数１〜２００を１０〜５０に限定すると共に、組成物の残部を構成する（ｄ）水性媒体の中でキレート剤を分離し、（ｄ）キレート剤５〜１５重量％と（ｅ）水性媒体と限定するもので、いずれも特許請求の範囲を減縮を目的とする訂正に該当する。そして、エチレンオキシドの平均付加モル数を１０〜５０とすることは、発明の詳細な説明には明記されていないものの、訂正前の実施例記載のＨ−１〜Ｈ−３のものが、エチレンオキシドの平均付加モル数が１０、１５、５０である（段落【００４０】）から、出願当初の明細書に記載された事項の範囲内の訂正といえなくもない。また、キレート剤に関しては、出願当初の明細書の段落【００２７】に記載されている。
　イ．訂正事項ｂないしｊは、訂正事項ａの訂正により、不整合となる明細書を整合させるための訂正であるから、明りょうでない記載の釈明を目的とする訂正に該当する。
　そして、いずれの訂正事項も、明細書に記載した事項の範囲内の訂正であり、新規事項の追加に該当せず、実質上特許請求の範囲を拡張し、又は変更するものではない。
　（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
３．特許異議申立てについて
　（１）特許異議申立ての概要
　特許異議申立人は、甲第１号証、甲第２号証及び参考資料１、２を提出して、訂正前の本件特許第３００７９１６号の請求項１に係る発明は、本件の出願前頒布された甲第１号証及び甲第２号証に記載された発明に基づいて当業者が容易に発明をすることができたものであるから、訂正前の本件の請求項１に係る特許は、特許法第２９条第２項の規定に違反してされたものであり、取り消されるべき旨主張している。
　（２）本件発明
　上記２．（３）で述べたとおり、訂正請求が認められるから、本件特許の請求項１に係る発明（以下、「本件発明」という。）は、上記訂正明細書の特許請求の範囲の請求項１に記載された次のとおりのものである。
「【請求項１】
（ａ）アルカリ金属の水酸化物：２８〜５０重量％、
（ｂ）重量平均分子量が１０００〜８万のポリアクリル酸またはその塩：０．５〜１０重量％、
（ｃ）ノニオン界面活性剤として下記化１で表わされる化合物：４〜１５重量％
【化１】
Ｒ１−（Ｃ２Ｈ４Ｏ）ｍ−（Ｃ３Ｈ６Ｏ）ｎ−Ｈ
（Ｒ１：Ｃ１０〜Ｃ２２のアルコール、アミン、アミド残基
ｍ：エチレンオキシドの平均付加モル数を表わし、１０〜５０の数
ｎ：プロピレンオキシドの平均付加モル数を表わし、１〜２００の数）
（ｄ）キレート剤：５〜１５重量％
（ｅ）水性媒体
を含有することを特徴とする金属表面洗浄用水性液状アルカリ洗浄剤組成物。」
　（３）甲第２号証の頒布日について
　甲第２号証は、「ソフタノールＥＰシリーズ」（日本触媒化学工業株式会社）、technical data bulletinと記載され、ソフタノール（商品名）についての技術情報が開示されているから、通常の商品カタログに相当する。
　そして、株式会社日本触媒（日本触媒化学工業株式会社が社名変更した新名称）ファイン第２営業部内藤光宏の回答（異議申立人にした当審の審尋に対する平成１４年２月１９日付け特許異議回答書に添付された参考資料３）によれば、甲第２号証の第１頁の右下最下行に記載された「５３．２．１０（Ｆ）」は発行年月日を示すもので、「昭和５３年２月１０日発行」と読める。
　それ故、頒布日は、昭和５３年２月１０日前後と推認できるし、昭和５３年２月と認定して、不自然なところはないから、昭和５３年２月発行と認定する。
　（４）引用刊行物に記載された事項
　甲第１号証（米国特許第４，５２１，３３２号明細書）には、「洗浄は、一般的に１５０°Ｆ〜２１０°Ｆの範囲内の温度で行われる。洗浄は、洗浄液が含まれている洗浄タンク内で鋼板を移動させることにより、洗浄液を鋼板に噴霧して適用させることにより行われる。」旨（第４欄４８〜５２行）、「重量基準の％で表された以下の各成分を含むと共に、固形分濃度が約４０重量％以上であって、層分離しにくい液状高アルカリ水性洗浄分散液。
　水酸化ナトリウム：１５〜４０％
　分子量５００〜１２０００であるポリアクリル酸のアルカリ金属塩又はアンモニウム塩：０．０４％以上でゲル化するまでの量
　アルカリ金属燐酸塩ビルダー：２〜１５％
　ノニオン界面活性剤：０．３〜５％
　キレート剤：０．２５〜３％
　増量剤としての炭酸ナトリウム又は炭酸カリウム：０．５〜２０％
　水：バランス
ここで、キレート剤としては、ソルビトール・・・よりなる群から選ばれる１種又は２種以上が用いられる。」旨（第６頁６３行〜第７欄１８行）、「ポリアクリル酸塩の濃度の全範囲は、私の得た濃縮物においては、約０．０４〜４重量％である。」旨（第２欄２９〜３１行）、「この洗浄分散液は、ノニオン界面活性剤を含んでいることが望ましい。ノニオン界面活性剤の濃度は、０〜５重量％で良い。ノニオン界面活性剤は、洗浄作用を向上させ、洗浄すべき金属表面に洗浄液をより接触しやすくする。強アルカリ水溶液に用いるのに適したノニオン界面活性剤としては、直鎖及び分岐鎖アルコールエトキシレートや、ジアルキルフェノールエトキシレートを含むアルキルフェノールエトキシレートが挙げられる。」旨（第２欄５７〜６６行）記載されている。
　甲第２号証（「ソフタノールＥＰシリーズ」昭和５３年２月発行、日本触媒化学工業株式会社）には、「ソフタノールＥＰシリーズ　ソフタノールＥＰシリーズは、直鎖型の高級セカンダリー・アルコールをベースとした、極めて低泡性の非イオン界面活性剤です。浸透性にも優れ、酸、アルカリに対して安定ですので、ガラスや金属材料の表面洗浄をはじめ、繊維工業、紙、パルプ工業等の工業用分野や、一般洗浄基剤として、また自動食品洗浄用基剤として、優れた効果を発揮します。また、本活性剤は（如何なる割合で水と混ぜても）ゲル化せず、しかも相溶性に富んでいるので、種々の添加剤とよく均一に混ざり合います。そして、極めて流動点が低く、耐寒性が優れていますので、取り扱いが容易です。」（第１頁１〜９行）、ソフタノールＥＰシリーズの商品の一例として、ＥＰ−５０３５、ＥＰ−７０２５、ＥＰ−７０４５、ＥＰ−９０５０の物性が記載されている。
　参考資料１（特開昭５７−１０８１９７号公報）には、「（ａ）成分のポリオキシエチレンアルキルエーテルとしては、炭素数が８〜２０の脂肪族第二級アルコールに付加するエチレンオキシドの付加モル数は平均３〜２０モル、特に平均５〜１５モルが好適である。」（第３頁左上欄１〜５行）、「（ｂ）成分としては、（ａ）成分にさらにアルカリまた酸触媒によってプロピレンオキシドをブロックに、またはランダムにあるいは交互に付加したポリオキシエチレンポリオキシプロピレンアルキルエーテルであって、例えば（ａ）成分の末端にプロピレンオキシドをブロックに付加した商品名「ソフタノール−ＥＰ」シリーズ（日本触媒化学工業（株）製）・・・が挙げられる。」（第３頁左下欄１〜１２行）、表１中の（ｂ）成分として、「炭素数１２〜１４の第２アルコールの７ＥＯ付加物にＰＯを２．５モル付加した付加物（商品名「ソフタノール−ＥＰ７０２５）」・・・日本触媒化学工業（株）製）、炭素数１２〜１４の第２アルコールの７ＥＯ付加物にＰＯを４．５モル付加した付加物（商品名「ソフタノール−ＥＰ７０４５」・・・日本触媒化学工業（株）製）」（第４頁左上欄表１）と記載されている。
　参考資料２（化学大辞典２、共立出版株式会社、昭和５９年３月１５日発行、７９１頁、気泡試験の項）には、気泡試験でロスマイルス試験が標準として用いられる旨記載されている。
　（５）対比・判断
　本件発明と甲第１号証に記載された発明とを対比する。
　本件発明は、アルカリ洗浄剤の問題点として、「アルカリ洗浄剤には、アルカリ基剤の他に洗浄効果を高めるために種々の界面活性剤が添加されているが、液状の洗浄剤においてアルカリ基剤濃度を高くすると、これらの界面活性剤が凝集して洗浄剤組成物から分離するため、均一な洗浄剤組成物とならない。」（本件明細書段落【０００３】）との認識から、技術課題として、「本発明は、界面活性剤等の洗浄成分を安定に配合しうる液状の金属表面洗浄用水性アルカリ洗浄剤組成物を提供するものである。また、本発明は、洗浄力に優れ、しかも低泡性のアルカリ洗浄剤組成物を提供するものである。」（同段落【０００８】）を掲げ、該組成物の安定性に関し、「（ｂ）成分のポリアクリル酸またはその塩としては、重量平均分子量(Mw)が１０００〜８万のものが用いられ、さらに好ましくは１０００〜３万である。重量平均分子量（「量」が脱字）が１０００未満では液状アルカリ洗浄剤組成物の安定化効果が不十分であり、一方、８万を超えると液状アルカリ洗浄剤組成物が増粘するとともに、２層分離して長期安定性が劣化する。ポリアクリル酸塩としてはナトリウム塩などの水溶性塩が用いられる。」（同段落【００１４】）と特定分子量のポリアクリル酸（塩）の配合により、安定性に係る問題の解決を図るものである。
　これに対し、甲第１号証記載の洗浄剤は、鋼板に噴霧して洗浄するもので、固形分濃度が約４０重量％以上であって、層分離しにくい液状高アルカリ水性洗浄分散液であって、水酸化ナトリウム：１５〜４０重量％（「％」は重量基準であるから、以下「％」を「重量％」と読み替える。）、分子量５００〜１２０００であるポリアクリル酸のアルカリ金属塩又はアンモニウム塩：０．０４重量％以上でゲル化するまでの量（４重量％程度）と高いアルカリ成分の配合による層分離の問題をポリアクリル酸の配合により、解決するものである。
　そして、全体の配合割合は、
「水酸化ナトリウム：１５〜４０重量％
　分子量５００〜１２０００であるポリアクリル酸のアルカリ金属塩又はアンモニウム塩：０．０４％以上でゲル化するまでの量
　アルカリ金属燐酸塩ビルダー：２〜１５重量％
　ノニオン界面活性剤：０．３〜５％重量
　キレート剤：０．２５〜３％重量
　増量剤としての炭酸ナトリウム又は炭酸カリウム：０．５〜２０重量％
　水：バランス」である。
　それ故、本件発明と甲第１号証に記載された発明とを対比すると、本件発明の基礎的成分（ａ）、（ｂ）及び用途についての構成、「（ａ）アルカリ金属の水酸化物：２８〜５０重量％、（ｂ）重量平均分子量が１０００〜８万のポリアクリル酸またはその塩：０．５〜１０重量％を含有する金属表面洗浄用水性液状アルカリ洗浄剤組成物。」は、甲第１号証記載のものと相違しないし、かつ（ａ）、（ｂ）に係る配合割合の限定理由にも差異がない。
　次に、本件発明の付加的成分（ｃ）〜（ｅ）をみると、
「（ｃ）ノニオン界面活性剤として下記化１で表わされる化合物：４〜１５重量％
【化１】
Ｒ１−（Ｃ２Ｈ４Ｏ）ｍ−（Ｃ３Ｈ６Ｏ）ｎ−Ｈ
（Ｒ１：Ｃ１０〜Ｃ２２のアルコール、アミン、アミド残基
ｍ：エチレンオキシドの平均付加モル数を表わし、１０〜５０の数
ｎ：プロピレンオキシドの平均付加モル数を表わし、１〜２００の数）
（ｄ）キレート剤：５〜１５重量％
（ｅ）水性媒体」と規定しているので、それらについて検討する。
　ア．（ｃ）ノニオン界面活性剤について
　本件発明では、「（ｃ）ノニオン界面活性剤として下記化１で表わされる化合物：４〜１５重量％
【化１】
Ｒ１−（Ｃ２Ｈ４Ｏ）ｍ−（Ｃ３Ｈ６Ｏ）ｎ−Ｈ
（Ｒ１：Ｃ１０〜Ｃ２２のアルコール、アミン、アミド残基
ｍ：エチレンオキシドの平均付加モル数を表わし、１０〜５０の数
ｎ：プロピレンオキシドの平均付加モル数を表わし、１〜２００の数）」と規定しているのに対し、甲第１号証に記載された発明では、ノニオン界面活性剤自体に特段の限定はなく、配合割合を０．３〜５重量％としている。
　更に検討すると、本件発明で用いるノニオン界面活性剤は、参考資料１に記載された（ｂ）成分と共通し、「ソフタノールＥＰシリーズ」として甲第２号証に記載されたものと同種のものである。そして、その性状も「ソフタノールＥＰシリーズは、直鎖型の高級セカンダリー・アルコールをベースとした、極めて低泡性の非イオン界面活性剤です。浸透性にも優れ、酸、アルカリに対して安定ですので、ガラスや金属材料の表面洗浄をはじめ、繊維工業、紙、パルプ工業等の工業用分野や、一般洗浄基剤として、また自動食品洗浄用基剤として、優れた効果を発揮します。また、本活性剤は（如何なる割合で水と混ぜても）ゲル化せず、しかも相溶性に富んでいるので、種々の添加剤とよく均一に混ざり合います。そして、極めて流動点が低く、耐寒性が優れていますので、取り扱いが容易です。」と低泡性、アルカリに対する安定性、金属材料の表面洗浄用途、相溶性に富んで種々の添加剤と均一に混ざり合う等の、液状高アルカリ洗浄剤でノニオン界面活性剤に通常求めるような物性を具有することが知られているから、それらのノニオン界面活性剤を選択することに格別の困難性はないものと認められるし、また、その配合量の上限の設定は、試験の上適宜なすべき事項である。
　イ．（ｄ）キレート剤について
　本件発明では、（ｄ）キレート剤を５〜１５重量配合するのに対し、甲第１号証記載のものは、キレート剤０．２５〜３重量％である。
　ところで、キレート剤は洗浄剤の常用成分であり、使用目的に応じて適宜に増減し得るものであるから、本件発明のようにキレート剤を５〜１５重量配合するようにすることは、組成設計上適宜なし得る事項である。
　ウ．本件発明では、甲第１号証記載の発明で配合するアルカリ金属塩ビルダー及び増量剤としての炭酸ナトリウム又は炭酸カリウムを配合するものではないが、本件明細書の段落【００２６】に「従来からアルカリ洗浄剤に用いられている他の成分を配合することができ、」との記載からみて、上記成分の配合を除外するものではないから、その点は、格別の相違ではない。
　エ．（ｅ）水性媒体について
　本件発明の（ｅ）は、甲第１号証記載の水と同じく残部（バランス）である。
　以上のとおりであるから、本件発明で、（ａ）〜（ｅ）成分からなる組成を採用することに格別の困難性はなく、また、それにより格別な効果を奏するものとも認められない。
　したがって、本件発明は、参考資料１の記載を参酌すれば、甲第１号証及び甲第２号証に記載された発明に基づいて当業者が容易に発明をすることができたものと認められる。
４．むすび
　以上のとおりであるから、本件発明は、特許法第２９条第２項の規定により特許を受けることができない。
　したがって、本件発明に係る特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年９月１０日（２００２．９．１０）
【訂正の要旨】
訂正の要旨
　ア．訂正事項ａ
　特許請求の範囲の請求項１の記載について、
「ｍ：エチレンオキシドの平均付加モル数を表わし、１〜２００の数
ｎ：プロピレンオキシドの平均付加モル数を表わし、１〜２００の数）
（ｄ）水性媒体」とあるのを
「ｍ：エチレンオキシドの平均付加モル数を表わし、１０〜５０の数
ｎ：プロピレンオキシドの平均付加モル数を表わし、１〜２００の数）
（ｄ）キレート剤：５〜１５重量％
（ｅ）水性媒体」と訂正する。
　イ．訂正事項ｂ
　段落【０００９】の記載について、「以下の（ａ），（ｂ），（ｃ）および（ｄ）」とあるのを「以下の（ａ），（ｂ），（ｃ），（ｄ）および（ｅ）」と訂正する。
　ウ．訂正事項ｃ
　段落【０００９】の記載について、「ｍ：エチレンオキシドの平均付加モル数を表わし、１〜２００の数
ｎ：プロピレンオキシドの平均付加モル数を表わし、１〜２００の数）
（ｄ）水性媒体」とあるのを
「ｍ：エチレンオキシドの平均付加モル数を表わし、１０〜５０の数
ｎ：プロピレンオキシドの平均付加モル数を表わし、１〜２００の数）
（ｄ）キレート剤：５〜１５重量％
（ｅ）水性媒体」
　エ．訂正事項ｄ
　段落【００１９】の記載について、「ｍ：エチレンオキシドの平均付加モル数を表わし、１〜２００の数」とあるのを「ｍ：エチレンオキシドの平均付加モル数を表わし、１０〜５０の数」と訂正する。
　オ．訂正事項ｅ
　段落【００２２】の記載について、「エチレンオキシドの平均付加モル数ｍは、１〜２００、好ましくは１〜１００である。」とあるのを「エチレンオキシドの平均付加モル数ｍは、１０〜５０である。」と訂正する。
　カ．訂正事項ｆ
　段落【００２５】の記載について、「（ｄ）成分の水性媒体は、」とあるのを「（ｅ）成分の水性媒体は、」と訂正する。
　キ．訂正事項ｇ
　段落【００２６】の記載について、「従来からアルカリ洗浄剤に用いられていることができ、例えば、キレート剤、化３のノニオン界面活性剤」とあるのを「従来からアルカリ洗浄剤に用いられている他の成分を配合することができ、例えば、化３のノニオン界面活性剤」と訂正する。
　ク．訂正事項ｈ
　段落【００２７】の記載について、「ここで、キレート剤としては、」とあるのを「（ｄ）成分のキレート剤としては、」と訂正する。
　ケ．訂正事項ｉ
　段落【００２７】の記載について、「５〜１５重量％である。」とあるのを「５〜１５重量％配合される。」と訂正する。
　コ．訂正事項ｊ
　段落【００２８】の記載について、「さらに特定のノニオン界面活性剤を４〜１５重量％配合して」とあるのを「特定のノニオン界面活性剤を４〜１５重量％、さらにキレート剤５〜１５重量％配合して」と訂正する。
（５４）【発明の名称】
金属表面洗浄用水性液状アルカリ洗浄剤組成物
（５７）【特許請求の範囲】
　【請求項１】
　（ａ）　アルカリ金属の水酸化物：２８〜５０重量％、
　（ｂ）　重量平均分子量が１０００〜８万のポリアクリル酸またはその塩：０．５〜１０重量％、
　（ｃ）　ノニオン界面活性剤として下記化１で表わされる化合物：４〜１５重量％
　【化１】
　　Ｒ１−（Ｃ２Ｈ４Ｏ）ｍ−（Ｃ３Ｈ６Ｏ）ｎ−Ｈ
　　（Ｒ１：Ｃ１０〜Ｃ２２のアルコール、アミン、アミド残基
　　　　ｍ：エチレンオキシドの平均付加モル数を表わし、
１０〜５０
　　　　ｎ：プロピレンオキシドの平均付加モル数を表わし、１〜２００の数）
　
（ｄ）　キレート剤：５〜１５重量％
　
（ｅ）
を含有することを特徴とする金属表面洗浄用水性液状アルカリ洗浄剤組成物。
【発明の詳細な説明】
　【０００１】
　【産業上の利用分野】
　本発明は、金属表面の洗浄に用いられる液状のアルカリ洗浄剤に関する。
　【０００２】
　【従来の技術】
　金属、ガラス等の硬質表面の汚れの洗浄にアルカリ洗浄剤が効果的であることは良く知られている。また、取扱いやすさ、ポンプ輸送、自動洗浄機における定量供給の観点からは、液状のアルカリ洗浄剤が望まれている。
　【０００３】
　アルカリ洗浄剤には、アルカリ基剤の他に洗浄効果を高めるために種々の界面活性剤が添加されているが、液状の洗浄剤においてアルカリ基剤濃度を高くすると、これらの界面活性剤が凝集して洗浄剤組成物から分離するため、均一な洗浄剤組成物とならない。
　【０００４】
　そこで、これらのアルカリ洗浄剤の安定性を高めるために種々の高分子物質を添加することが提案されているが、いずれもある程度まで高濃度化することが可能であるものの、組成物の粘度が上昇したり、洗浄剤として使用した時に発泡するために十分な洗浄力が発揮されないという問題点があった。
　【０００５】
　例えば、特開昭５８−１０８３００号公報には、苛性ソーダ５〜１０％、苛性カリ１５〜４０％、トリポリリン酸ソーダ１０〜３５％、珪酸塩５〜１５％、イソアミレン−無水マレイン酸共重合体（界面活性剤）０．５〜１０％，ポリアクリル酸０．３〜５％、水４０〜６０％からなるスラリー状アルカリ洗浄剤が記載されている。この洗浄剤では、ポリアクリル酸は増粘剤として使用され、分子量が４０万〜６０万の高分子が用いられている。しかし、このように高分子量のポリアクリル酸塩では、本発明の系において安定な液状組成物が得られず、実際この公報の実施例における苛性アルカリ（アルカリ金属の水酸化物）濃度は、最大２５％である。
　【０００６】
　また、特開昭５７−７３０９４号公報には、７５ｗｔ％以上のアルカリ性成分、０．１〜１５ｗｔ％のエトキシ化アルキルフェノールおよび１〜５ｗｔ％のエトキシ化プロポキシ化アルキルフェノールからなる固形の低温低発泡アルカリ性清浄剤組成物が記載されており、この固形組成物を液体組成物として取り扱う際には、沈澱防止剤として高分子量のカルボキシビニル重合体を使用することが好ましいとされている。しかし、これはカーボポール（商品名）等の高分子量の重合体であり、前述の如く本願発明の液状組成物の系においては安定性に寄与しえない。
　【０００７】
　さらに、特開昭５８−７４８００号公報には、液状のアルカリ洗浄剤において、多くの水溶性高分子が安定剤として寄与しうることが記載されている。しかし、ポリアクリル酸塩についてはその一例として単に挙げられているに止まり、分子量についての記載はなく、また、実施例においても使用されていない。
　【０００８】
　【発明が解決しようとする課題】
　本発明は、界面活性剤等の洗浄成分を安定に配合しうる液状の金属表面洗浄用水性アルカリ洗浄剤組成物を提供するものである。
　また、本発明は、洗浄力に優れ、しかも低泡性のアルカリ洗浄剤組成物を提供するものである。
　【０００９】
　【課題を解決するための手段】
　本発明のアルカリ洗浄剤組成物は、以下の（ａ），（ｂ），（ｃ），（ｄ）および（ｅ）成分を含有することを特徴とする。
　（ａ）　アルカリ金属の水酸化物：２８〜５０重量％。
　（ｂ）　重量平均分子量が１０００〜８万のポリアクリル酸またはその塩：０．５〜１０重量％。
　（ｃ）　ノニオン界面活性剤として下記化２で表わされる化合物：４〜１５重量％。
　【化２】
　　Ｒ１−（Ｃ２Ｈ４Ｏ）ｍ−（Ｃ３Ｈ６Ｏ）ｎ−Ｈ
　　（Ｒ１：Ｃ１０〜Ｃ２２のアルコール、アミン、アミド残基
　　　　ｍ：エチレンオキシドの平均付加モル数を表わし、
１０〜５０
　　　　ｎ：プロピレンオキシドの平均付加モル数を表わし、１〜２００の数）
　
（ｄ）　キレート剤：５〜１５重量％。
　
（ｅ）
　【００１０】
　この組成物は、アルカリ金属の水酸化物以外の洗浄成分、特に界面活性剤を安定に配合でき、とりわけノニオン界面活性剤を安定に配合して洗浄力を向上できる。
　【００１１】
　また、特定のノニオン界面活性剤を用いることにより、洗浄力に加え、優れた低泡性を実現できる。洗浄液が発泡すると、洗浄作業や排水処理に支障をきたす。さらに、洗浄液自体は本来低泡性であっても、洗浄対象の汚れが発泡する場合もある。例えば、圧延鋼板の洗浄に際しては牛脂等の圧延油を洗浄除去することになるが、牛脂等の油脂は洗浄剤のアルカリ成分によりケン化を受けて発泡性の石けんを生じる。このような場合にも本発明のアルカリ洗浄剤組成物では低泡性を維持して洗浄作業を継続することができる。
　【００１２】
　【発明の実施態様】
　（ａ）成分のアルカリ金属の水酸化物は、洗浄主剤としてのアルカリ成分であり、液状洗浄剤組成物中に２８〜５０重量％含まれる。この量が２８重量％未満では、アルカリ基剤の高濃度化が不十分であり本来の目的を達成しえないし、組成物の安定性も不良となる。
　【００１３】
　（ａ）成分のアルカリ金属の水酸化物としては、水酸化ナトリウム、水酸化カリウムが用いられ、これらは各々単独で用いてもよく、また、併用してもよい。
　【００１４】
　（ｂ）成分のポリアクリル酸またはその塩としては、重量平均分子量（Ｍｗ）が１０００〜８万のものが用いられ、さらに好ましくは１０００〜３万である。重量平均分子が１０００未満では液状アルカリ洗浄剤組成物の安定化効果が不十分であり、一方、８万を超えると液状アルカリ洗浄剤組成物が増粘するとともに、２層分離して長期安定性が劣化する。ポリアクリル酸の塩としてはナトリウム塩などの水溶性塩が用いられる。
　【００１５】
　（ｂ）成分のポリアクリル酸またはその塩は、本発明の液状アルカリ洗浄剤組成物中に０．５〜１０重量％配合され、好ましくは１〜５重量％である。
　【００１６】
　【００１７】
　【００１８】
　（ｃ）成分のノニオン界面活性剤としては、以下の化３に示される化合物が、用いられ、これらを用いることにより、洗浄性能に加え低泡性を改善することができる。
　【００１９】
　【化３】
　　Ｒ１−（Ｃ２Ｈ４Ｏ）ｍ−（Ｃ３Ｈ６Ｏ）ｎ−Ｈ
　　（Ｒ１：Ｃ１０〜Ｃ２２のアルコール、アミン、アミド残基
　　　　ｍ：エチレンオキシドの平均付加モル数を表わし、
１０〜５０
　　　　ｎ：プロピレンオキシドの平均付加モル数を表わし、１〜２００の数）
　【００２０】
　【００２１】
　ここでＲ１は、炭素数が１０〜２２の高級アルコール、高級アミン、高級アミドの残基である。
　Ｒ１の炭素鎖は飽和でも不飽和でもよく、また、直鎖でも分枝鎖でもよい。好ましくは、Ｒ１の炭素数は１０〜２０である。
　【００２２】
　上記化２の化合物は、Ｒ１のアルコール、アミン、アミド残基に対してエチレンオキシドが付加重合し、さらにプロピレンオキシドが付加重合したものであり、エチレンオキシドの平均付加モル数ｍは
１０〜５０
　【００２３】
　【００２４】
　（ｃ）成分のノニオン界面活性剤は、本発明の液状アルカリ洗浄剤組成物中に４〜１５重量％、好ましくは４〜１０重量％含まれる。この量が４重量％未満では洗浄力の向上効果が必ずしも十分でなく、一方、１５重量％を超えると組成物の液安定性が劣化する。
　【００２５】
　
（ｅ）
　【００２６】
　さらに、本発明の液状アルカリ洗浄剤組成物中には、従来からアルカリ洗浄剤に用いられている
他の成分を配合する
　【００２７】
　
（ｄ）成分の
配合される。
　【００２８】
　【発明の効果】
　本発明によれば、アルカリ金属の水酸化物の濃度を２８〜５０重量％とし、重量平均分子量１０００〜８万のポリアクリル酸またはその塩を０．５〜１０重量％
、特
、さらにキレート剤５〜１５重量％
　【００２９】
　【実施例】
　以下に各実施例で用いた評価方法を示す。
　（１）安定性の評価方法
　調製した液状アルカリ洗浄剤組成物を室温（１５〜２０℃）で保存し、ノニオン界面活性剤が分離するか否かを目視により判定し、以下の基準で評価した。
　【００３０】
　　○：１ケ月以上安定
　　△：１週間以上安定
　　×：１週間以内に分離
　【００３１】
　（２）発泡性の評価方法
　図１に示した装置を用いた。
　タンク１１内の洗浄液２１はヒータ１３で７０℃に加温され、ポンプＰにより７．６リットル／分で汲み上げられ、スプレー圧１．０ｋｇ／ｃｍ２で鋼板１７にスプレーされる。スプレー後の洗浄液２１はいったん洗浄槽１５に貯留され、落差１ｍでタンク１１内に戻される。
　【００３２】
　本試験では、水道水で希釈して所定濃度の洗浄水を調製し、これに牛脂系圧延油を１ｗｔ％添加し、８０±１０℃で８時間撹拌、加温し、徐冷した。さらに、この撹拌・加温、徐冷操作を２回繰り返し（合計３回）、得られた圧延油含有洗浄水を洗浄液２１とし、この５リットルを用い７０℃に加温して図１の装置でスプレー循環を繰り返し、タンク１１内の泡立が１５０ｍｍを超えるまでの時間を測定し、以下の基準で評価した。なお、本評価方法では、鋼板１７として洗浄済みの鋼板を使用した。
　【００３３】
　　○：３０分以上
　　△：５分以上、３０分未満
　　×：５分以内
　【００３４】
　（３）洗浄性の評価方法
　図１に示した装置を用い、牛脂系圧延油が付着した鋼板を１０×１０ｃｍに裁断し、２分間スプレー洗浄したのちドライヤーで乾燥し、再度水に浸漬して表面の状態を観察し、鋼板表面の水濡れ面積より洗浄性を評価した。
　【００３５】
　　○：水濡れ面積９０％以上
　　×：水濡れ面積９０％未満
　【００３６】
　実施例１〜４
　表１の組成の液体洗浄剤組成物を調製して安定性を評価した。
　なお、表１中の記号は以下のものを示し、また、その中で用いた略号の意味は次の通りである。
　【００３７】
　【００３８】
　ポリアクリル酸Ｎａ
　　Ｐ−１：Ｍｗ；１０００〜３０００（アロン２００Ｕ）
　　Ｐ−２：Ｍｗ；６０００〜８０００（アロンＴ４０）
　　Ｐ−３：Ｍｗ；５万〜７万（アロンＡ２０ＭＬ）
　【００３９】
　ノニオン界面活性剤
　　Ｎ−１：リポノックスＮＣ−１００（ＰＯＥ（１０）ノニルフェニルエーテル）
　　Ｎ−２：プルロニックＬ６２（ポリオキシプロピレンに対してエチレンオキシドが付加したノニオン界面活性剤）
　　Ｎ−３：テトロニック７０２（エチレンジアミンに対してプロピレンオキシドおよびエチレンオキシドが順次付加したノニオン界面活性剤）
　　Ｎ−４：ＰＯＥ（１５）Ｃ１８アルキルエーテル
　【００４０】
　　Ｈ−１〜Ｈ−３：
　　ＥＯ：エチレンオキシド
　　ＰＯ：プロピレンオキシド
　【００４１】
　【００４２】
　キレート剤
　　Ｋ−１：グルコン酸Ｎａ
　　Ｋ−２：エチレンジアミン四酢酸−４Ｎａ
　【００４３】
　【００４４】
　【００４５】
　【表１】
　【００４６】
　実施例５〜８
　下記の洗浄剤組成物を１５倍に希釈し、発泡性および溶解性を評価した。
　ここで、ノニオン界面活性剤としては表２中に示したように種々のものを、種々の配合量で用いた。
　なお、ノニオン界面活性剤等の記号は表１と同じである。
　組成：ＮａＯＨ　　　　　　　　　　　　　　　　　　　　　　　３２ｗｔ％
　　　　ポリアクリル酸Ｎａ（Ｐ−２）　　　　　　　　　　　　　　４ｗｔ％
　　　　キレート剤（Ｋ−１）　　　　　　　　　　　　　　　　　　５ｗｔ％
　　　　キレート剤（Ｋ−２）　　　　　　　　　　　　　　　　　　２ｗｔ％
　　　　ノニオン界面活性剤（表中）　　　　　　　　　　　　　２〜８ｗｔ％
　　　　水　　　　　　　　　　　　　　　　　　　　　　　　　　　　残余
　【００４７】
　【表２】
【図面の簡単な説明】
　【図１】
　本発明の実施例で試験に用いた装置を示す説明図である。
　【符号の説明】
　１１　タンク
　１３　ヒータ
　１５　洗浄槽
　１７　鋼板
　２１　洗浄液
　Ｐ　　ポンプ